(57)【特許請求の範囲】
【請求項１】
支柱または支柱間に設けた梁に架設された鉄筋コンクリート製の高架床版の補修対象領域を切り出して形成した開口部の上方から、開口部の下方位置に、水平方向に間隔をあけて吊設した枕梁に複数のパネル材を架設して前記開口部を覆うようにした後、開口部に新たな鉄筋を配筋してコンクリートを打設することにより前記パネル材と一体化した鉄筋コンクリートにより開口部を塞いで高架床版を補修するに際し、前記枕梁に隣り合って架設されているパネル材どうしの継ぎ目のうち、下方を無支持状態で、対向するパネル材端部どうしを突き合わせている継ぎ目でのパネル材の接続構造であって、断面で下方に突出した凹部を有するとともに、該凹部の両端に取付け部を有する非透水性シートを、前記下方を無支持状態で、対向するパネル材端部どうしを突き合わせている継ぎ目に、その凹部をパネル材の下面よりも下方に突出させて設置し、両端の取付け部をそれぞれ、対向するパネル材端部に接着剤により接着固定したパネル材の接続構造。
【請求項２】
支柱または支柱間に設けた梁に架設された鉄筋コンクリート製の高架床版の補修対象領域を切り出して形成した開口部の上方から、開口部の下方位置に、水平方向に間隔をあけて吊設した枕梁に複数のパネル材を架設して前記開口部を覆うようにした後、開口部に新たな鉄筋を配筋してコンクリートを打設することにより前記パネル材と一体化した鉄筋コンクリートにより開口部を塞いで高架床版を補修するに際し、前記枕梁に架設されているパネル材と、該パネル材と隣り合う高架床版の固設部材との継ぎ目のうち、下方を無支持状態で、突き合わせているパネル材端部と固設部材との継ぎ目でのパネル材の接続構造であって、断面で下方に突出した凹部を有するとともに、該凹部の一端に取付け部を有する非透水性シートを、前記下方を無支持状態で、突き合わせているパネル材端部と固設部材との継ぎ目に、その凹部をパネル材の下面よりも下方に突出させて設置し、一端の取付け部をパネル材端部に接着剤により接着固定し、他端側の凹部の外周部を固設部材に接着剤により接着固定したパネル材の接続構造。
【請求項３】
支柱または支柱間に設けた梁に架設された鉄筋コンクリート製の高架床版の補修対象領域を切り出して形成した開口部の上方から、開口部の下方位置に、水平方向に間隔をあけて吊設した枕梁に複数のパネル材を架設して前記開口部を覆うようにした後、開口部に新たな鉄筋を配筋してコンクリートを打設することにより前記パネル材と一体化した鉄筋コンクリートにより開口部を塞いで高架床版を補修するに際し、前記枕梁に隣り合って架設されているパネル材どうしの継ぎ目のうち、下方を前記枕梁により支持された状態で、対向するパネル材端部どうしを突き合わせている継ぎ目でのパネル材の接続構造であって、前記対向するパネル材端部のそれぞれの上面から該パネル材端部を下方で支持している枕梁の上面まで、断面方向で継ぎ目に沿って非透水性シートを設置し、該非透水性シートと、パネル材端部および枕梁とを弾性接着樹脂により接着固定したパネル材の接続構造。
【請求項４】
支柱または支柱間に設けた梁の上から水平方向に間隔をあけて吊設した枕梁に複数のパネル材を架設して、前記支柱または支柱間に設けた梁の間を覆うようにした後、架設したパネル材の上方位置に鉄筋を配筋してコンクリートを打設することにより前記パネル材と一体化した鉄筋コンクリートにより前記支柱または支柱間に設けた梁の間を塞いで高架床版を新たに構築するに際し、前記枕梁に隣り合って架設されているパネル材どうしの継ぎ目のうち、下方を無支持状態で、対向するパネル材端部どうしを突き合わせている継ぎ目でのパネル材の接続構造であって、断面で下方に突出した凹部を有するとともに、該凹部の両端に取付け部を有する非透水性シートを、前記下方を無支持状態で、対向するパネル材端部どうしを突き合わせている継ぎ目に、その凹部をパネル材の下面よりも下方に突出させて設置し、両端の取付け部をそれぞれ、対向するパネル材端部に接着剤により接着固定したパネル材の接続構造。
【請求項５】
支柱または支柱間に設けた梁の上から水平方向に間隔をあけて吊設した枕梁に複数のパネル材を架設して、前記支柱または支柱間に設けた梁の間を覆うようにした後、架設したパネル材の上方位置に鉄筋を配筋してコンクリートを打設することにより前記パネル材と一体化した鉄筋コンクリートにより前記支柱または支柱間に設けた梁の間を塞いで高架床版を新たに構築するに際し、前記枕梁に隣り合って架設されているパネル材どうしの継ぎ目のうち、下方を無支持状態で、突き合わせているパネル材端部と固設部材との継ぎ目でのパネル材の接続構造であって、断面で下方に突出した凹部を有するとともに、該凹部の一端に取付け部を有する非透水性シートを、前記下方を無支持状態で、突き合わせているパネル材端部と固設部材との継ぎ目に、その凹部をパネル材の下面よりも下方に突出させて設置し、一端の取付け部をパネル材端部に接着剤により接着固定し、他端側の凹部の外周部を固設部材に接着剤により接着固定したパネル材の接続構造。
【請求項６】
支柱または支柱間に設けた梁の上から水平方向に間隔をあけて吊設した枕梁に複数のパネル材を架設して、前記支柱または支柱間に設けた梁の間を覆うようにした後、架設したパネル材の上方位置に鉄筋を配筋してコンクリートを打設することにより前記パネル材と一体化した鉄筋コンクリートにより前記支柱または支柱間に設けた梁の間を塞いで高架床版を新たに構築するに際し、前記枕梁に隣り合って架設されているパネル材どうしの継ぎ目のうち、下方を前記枕梁により支持された状態で、対向するパネル材端部どうしを突き合わせている継ぎ目でのパネル材の接続構造であって、前記対向するパネル材端部のそれぞれの上面から該パネル材端部を下方で支持している枕梁の上面まで、断面方向で継ぎ目に沿って非透水性シートを設置し、該非透水性シートと、パネル材端部および枕梁とを弾性接着樹脂により接着固定したパネル材の接続構造。
【請求項７】
前記非透水性シートが、ステンレス鋼シートまたはチタンシートである請求項１〜６のいずれかに記載のパネル材の接続構造。
【請求項８】
前記接着剤が、有機系樹脂である請求項１、２、４、５のいずれかに記載のパネル材の接続構造。
【請求項９】
前記パネル材が、ＰＣ鋼線を埋設したプレストレストコンクリートパネル材である請求項１〜８のいずれかに記載のパネル材の接続構造。
【請求項１０】
前記パネル材が、セメントに繊維を配合した繊維強化パネル材である請求項１〜９のいずれかに記載のパネル材の接続構造。
【請求項１１】
前記パネル材が、シリカフュームセメントを用いた高強度繊維補強モルタルにより形成されたパネル材である請求項１０に記載のパネル材の接続構造。
【発明の詳細な説明】
【技術分野】
【０００１】
本発明は、パネル材の接続構造に関し、さらに詳しくは、高架床版を構成するパネル材を複数架設してからパネル材の上にコンクリートを打設する工程が完了するまでの間に、パネル材に回転ずれや水平方向のずれが生じた場合にも、ずれに追従してパネル材とパネル材、或いはパネル材と固設部材を止水して接続できるようにした高架床版を構成するパネル材の接続構造に関するものである。
【背景技術】
【０００２】
桟橋などの水上に立設された支柱または支柱間に設けた梁に架設された鉄筋コンクリート製の高架床版は、海水等の影響により劣化し、劣化がある程度進んだ段階で補修を行なう必要がある。同様に、道路橋などの陸上に架設された鉄筋コンクリート製の高架床版についても、劣化が進んだ段階で補修が必要となる。
【０００３】
上記のような高架床版は、立設する支柱または支柱間に設けた梁に、複数のパネル材を架設した後、これらパネル材の上に鉄筋を組み、そこにコンクリートを打設して構築される。従来、架設されて隣り合うパネル材の継ぎ目や、パネル材を架設した梁（固設部材）と、パネル材との間の継ぎ目には、無収縮モルタルを充填して互いを一体化するようにしていた（例えば、特許文献１参照）。
【０００４】
このように高架床版を構成するパネル材を架設してから、パネル材の上にコンクリートを打設する工程が完了するまでの間に、パネル材には、水平方向のずれや、パネル材が湾曲することにより生じる、いわゆる回転ずれが発生する。硬化した無収縮モルタルは、パネル材の水平方向のずれや回転ずれに追従するように変形することができないため、パネル材のずれが大きな場合には、ひび割れ等の損傷が生じる。そのため、従来のように継ぎ目を無収縮モルタルによって充填するだけのパネル材の接続構造では、継ぎ目を確実に止水することが困難であるという問題があった。これと同様の問題は、高架床版を補修する場合だけでなく、桟橋などの水上に立設された支柱または支柱間に設けた梁に架設された鉄筋コンクリート製の高架床版を、新たに構築する場合にも生じていた。
【特許文献１】特開平１０−１３１１２５号公報
【発明の開示】
【発明が解決しようとする課題】
【０００５】
本発明の目的は、複数のパネル材を架設してからパネル材の上にコンクリートを打設する工程が完了するまでの間に、パネル材に回転ずれや水平方向のずれが生じた場合にも、ずれに追従してパネル材とパネル材、或いはパネル材と固設部材を止水して接続できるようにした高架床版を構成するパネル材の接続構造を提供することにある。
【課題を解決するための手段】
【０００６】
上記目的を達成するため本発明のパネル材の接続構造は、支柱または支柱間に設けた梁に架設された鉄筋コンクリート製の高架床版の補修対象領域を切り出して形成した開口部の上方から、開口部の下方位置に、水平方向に間隔をあけて吊設した枕梁に複数のパネル材を架設して前記開口部を覆うようにした後、開口部に新たな鉄筋を配筋してコンクリートを打設することにより前記パネル材と一体化した鉄筋コンクリートにより開口部を塞いで高架床版を補修するに際し、前記枕梁に隣り合って架設されているパネル材どうしの継ぎ目のうち、下方を無支持状態で、対向するパネル材端部どうしを突き合わせている継ぎ目でのパネル材の接続構造であって、断面で下方に突出した凹部を有するとともに、該凹部の両端に取付け部を有する非透水性シートを、前記下方を無支持状態で、対向するパネル材端部どうしを突き合わせている継ぎ目に、その凹部をパネル材の下面よりも下方に突出させて設置し、両端の取付け部をそれぞれ、対向するパネル材端部に接着剤により接着固定したことを特徴とするものである。
【０００７】
また、本発明の別のパネル材の接続構造は、上記のとおり高架床版を補修するに際し、前記枕梁に架設されているパネル材と、該パネル材と隣り合う高架床版の固設部材との継ぎ目のうち、下方を無支持状態で、突き合わせているパネル材端部と固設部材との継ぎ目でのパネル材の接続構造であって、断面で下方に突出した凹部を有するとともに、該凹部の一端に取付け部を有する非透水性シートを、前記下方を無支持状態で、突き合わせているパネル材端部と固設部材との継ぎ目に、その凹部をパネル材の下面よりも下方に突出させて設置し、一端の取付け部をパネル材端部に接着剤により接着固定し、他端側の凹部の外周部を固設部材に接着剤により接着固定したことを特徴とするものである。
【０００８】
また、本発明の別のパネル材の接続構造は、上記のとおり高架床版を補修するに際し、前記枕梁に隣り合って架設されているパネル材どうしの継ぎ目のうち、下方を前記枕梁により支持された状態で、対向するパネル材端部どうしを突き合わせている継ぎ目でのパネル材の接続構造であって、前記対向するパネル材端部のそれぞれの上面から該パネル材端部を下方で支持している枕梁の上面まで、断面方向で継ぎ目に沿って非透水性シートを設置し、該非透水性シートと、パネル材端部および枕梁とを弾性接着樹脂により接着固定したことを特徴とするものである。
【０００９】
また、本発明の別のパネル材の接続構造は、支柱または支柱間に設けた梁の上から水平方向に間隔をあけて吊設した枕梁に複数のパネル材を架設して、前記支柱または支柱間に設けた梁の間を覆うようにした後、架設したパネル材の上方位置に鉄筋を配筋してコンクリートを打設することにより前記パネル材と一体化した鉄筋コンクリートにより前記支柱または支柱間に設けた梁の間を塞いで高架床版を新たに構築するに際し、前記枕梁に隣り合って架設されているパネル材どうしの継ぎ目のうち、下方を無支持状態で、対向するパネル材端部どうしを突き合わせている継ぎ目でのパネル材の接続構造であって、断面で下方に突出した凹部を有するとともに、該凹部の両端に取付け部を有する非透水性シートを、前記下方を無支持状態で、対向するパネル材端部どうしを突き合わせている継ぎ目に、その凹部をパネル材の下面よりも下方に突出させて設置し、両端の取付け部をそれぞれ、対向するパネル材端部に接着剤により接着固定したことを特徴とするものである。
【００１０】
また、本発明の別のパネル材の接続構造は、上記のとおり高架床版を新たに構築するに際し、前記枕梁に隣り合って架設されているパネル材どうしの継ぎ目のうち、下方を無支持状態で、突き合わせているパネル材端部と固設部材との継ぎ目でのパネル材の接続構造であって、断面で下方に突出した凹部を有するとともに、該凹部の一端に取付け部を有する非透水性シートを、前記下方を無支持状態で、突き合わせているパネル材端部と固設部材との継ぎ目に、その凹部をパネル材の下面よりも下方に突出させて設置し、一端の取付け部をパネル材端部に接着剤により接着固定し、他端側の凹部の外周部を固設部材に接着剤により接着固定したことを特徴とするものである。
【００１１】
また、本発明の別のパネル材の接続構造は、上記のとおり高架床版を新たに構築するに際し、前記枕梁に隣り合って架設されているパネル材どうしの継ぎ目のうち、下方を前記枕梁により支持された状態で、対向するパネル材端部どうしを突き合わせている継ぎ目でのパネル材の接続構造であって、前記対向するパネル材端部のそれぞれの上面から該パネル材端部を下方で支持している枕梁の上面まで、断面方向で継ぎ目に沿って非透水性シートを設置し、該非透水性シートと、パネル材端部および枕梁とを弾性接着樹脂により接着固定したことを特徴とするものである。
【発明の効果】
【００１２】
本発明のパネル材の接続構造によれば、高架床版を補修または新たに構築するに際し、高架床版を構成するパネル材の継ぎ目のうち、下方を無支持状態で対向するパネル材端部どうしを突き合わせている継ぎ目、或いは、下方を無支持状態で、突き合わせているパネル材端部と固設部材との継ぎ目に、断面で下方に突出した凹部を有する非透水性シートを接着剤により接着固定してパネル材を接続するので、パネル材を架設してから、パネル材の上にコンクリートを打設する工程が完了するまでの間にパネル材に回転ずれや水平方向のずれが生じた場合にも、パネル材の下面よりも下方に突出した凹部が変形することによって、継ぎ目の非透水性シートがずれに追従することができる。
【００１３】
また、下方を枕梁により支持された状態で、対向するパネル材端部どうしを突き合わせている継ぎ目には、非透水性シートを弾性接着樹脂により接着固定してパネル材を接続するので、パネル材を架設してから、パネル材の上にコンクリートを打設する工程が完了するまでの間にパネル材に回転ずれや水平方向のずれが生じた場合にも、弾性接着樹脂の弾性変形によって、継ぎ目の非透水性シートがずれに追従することができる。
【００１４】
このように、継ぎ目のずれに追従できる非透水性シートによって継ぎ目が塞がれるので、パネル材の上にコンクリートを打設した後にも、継ぎ目を止水してパネル材を接続することが可能になる。
【発明を実施するための最良の形態】
【００１５】
以下、本発明の高架床版を構成するパネル材の接続構造を図に示した実施形態に基づいて説明する。
【００１６】
本発明では、図１１、図１２に例示するような、桟橋等の水上に立設する支柱３に架設された鉄筋コンクリート製の高架床版１または、支柱３間に設けられた梁３ａに架設された鉄筋コンクリート製の高架床版１が対象となる。まず、このような高架床版１が劣化して補修をする際には、補修対象領域を上方からカッター装置等によって、くり抜くように切断し、切り出した鉄筋コンクリート体１ａを、クレーン等により吊り上げ、別の場所に撤去する。これにより、高架床版１の補修対象領域に開口部１ｂを形成する。
【００１７】
次いで、図１３、図１４に例示するように、対向する梁３ａ、３ａ上のＨ鋼８、８に架設した上部支保材５に接続した吊りアンカー７によって、枕梁６を開口部１ｂの下方位置で吊設する。この吊設した枕梁６の上に、開口部１ｂの上方から挿通させた足場を配置し、足場に載った作業者により、開口部１ｂの開口周縁部のコンクリートのはつり作業を行なう。このはつり作業によって、高架床版１に埋設されていた多数の鉄筋２が、開口部１ｂの開口周縁部から内周側へ突出した状態になる。
【００１８】
コンクリートのはつり作業に替えて、開口部１ｂの開口周縁部のコンクリートの目荒し作業を行ない、その後に、ケミカルアンカー等により新たな鉄筋を開口周縁部に埋め込んで、多数の鉄筋２を開口部１ｂの開口周縁部から内周側へ突出した状態にしてもよい。目荒し作業は、後述する新たに打設するコンクリート９との接合性を向上させるためである。
【００１９】
次いで、図１、図２に例示するように、吊りアンカー７によって枕梁６を吊設している上部支保材５を、Ｈ鋼８の上で水平移動させることにより、枕梁６を所定の水平方向位置に移動させる。また、所定の水平方向位置に移動させた枕梁６を、吊りアンカー７の長さを調節することにより、突出する鉄筋２の下方位置で所定の上下方向位置に移動させる。
【００２０】
次いで、パネル材４を開口部１ｂの上方から挿通させて枕梁６に架設する。このパネル材４は、上下方向では、開口部１ｂの開口周縁部から内周側へ突出した鉄筋２と枕梁６との間に配置される。このように複数のパネル材４を、枕梁６に並べて架設することにより、水平方向では、パネル材４によって開口部１ｂを覆うようにする。
【００２１】
尚、図１では、パネル材４の架設状態を明確にするために、上部支保材５、Ｈ鋼８を省略して図示していない。
【００２２】
本発明ではパネル材４としては、ＰＣ鋼線を埋設したプレストレストコンクリートパネル材（ＰＣパネル材）のような軽量で高強度のものが好ましく、その他に、例えば、セメントにスチール、ビニロン、ポリプロピレン、アラミド等の繊維を配合して形成された繊維強化パネル材、繊維強化ＰＣパネル材を用いることができる。この繊維強化パネル材、繊維強化ＰＣパネル材に配合するスチール繊維は、例えば、外径が０．１〜０．２ｍｍ程度、長さが１０ｍｍ〜３０ｍｍ程度である。
【００２３】
また、パネル材４を、上記の種々の繊維を配合し、シリカフュームセメントを用いた高強度繊維補強モルタルにより形成することもできる。この高強度繊維補強モルタルにより形成したパネル材４を用いると、水セメント比が小さいので耐塩性が向上し、これに伴い、いわゆるかぶりを薄くすることが可能になる。
【００２４】
図１、図２に例示するように、枕梁６に架設した複数のパネル材４は、隣り合うパネル材４どうしの間や隣り合う梁３ａとの間に所定間隔をあけて配置する。
【００２５】
枕梁６に隣り合って架設されているパネル材４どうしの継ぎ目のうち、下方に枕梁６がなく無支持状態で、対向するパネル材４端部どうしを突き合わせている継ぎ目には、  図３に例示するように、断面で下方に突出した凹部１０ａを有し、かつ、この凹部１０ａの両端に取付け部１０ｂを有する非透水性シート１０を設置する。この凹部１０ａは、パネル材４の下面よりも下方に突出するようになっている。実施形態では凹部１０ａの形状が円弧状であるが、断面三角形、断面四角形など、パネル材４の下面よりも下方に突出する種々の形状を採用することができる。
【００２６】
平面状のそれぞれの取付け部１０ｂ、１０ｂは、対向するそれぞれのパネル材４、４端部に接着剤１１により接着固定する。凹部１０ａの両端の外周部１０ｃ、１０ｃも接着剤１１により、それぞれのパネル材４、４端部と接着固定させることが好ましい。
【００２７】
非透水性シート１０としては、金属シート、樹脂等の非金属シートを用いることができる。金属シートとしては、チタンシート、ステンレス鋼シート、アルミ合金シート等を例示することができる。  非金属シートとしては、塩化ビニールシート、ゴムシート、ポリカーボネートシート、その他、種々の樹脂シートを例することができる。
【００２８】
接着剤１１としては、無機系接着剤、例えば、セメント系材料を用いることもできるが、遮水性を有する有機系樹脂が好ましく、エポキシ樹脂、ウレタン樹脂、アクリル樹脂、ビニルエステル樹脂、ポリエステル樹脂等を例示できる。また、特に弾性を付与する必要がある場合は、弾性エポキシ樹脂、弾性ウレタン樹脂、ポリウレア樹脂等の弾性接着樹脂１１ａを使用する。
【００２９】
詳細は後述するが、上記のように継ぎ目に非透水性シート１０を取り付けた後に、枕梁６に架設したパネル材４の上には、図５に例示するように新たなコンクリート９を打設する。このように、複数のパネル材４を枕梁６に架設してからパネル材４の上にコンクリートを打設する工程が完了するまでの間に、パネル材４には、図４に例示するように回転ずれや水平方向のずれが生じる場合がある。特に、パネル材４の上に新たなコンクリート９を打設する際には、パネル材４のずれが生じ易い。
【００３０】
このようなずれ移動が生じた場合には、本発明によれば、非透水性シート１０の凹部１０ａが変形代として機能してずれを許容する。このようにパネル材４にずれが生じた場合にも、継ぎ目は非透水性シート１０により塞がれるので、図５に例示するようにパネル材４の上にコンクリート９を打設した後にも、継ぎ目を止水してパネル材４を接続することが可能になる。
【００３１】
図６に例示するように、枕梁６に架設されているパネル材４と、パネル材４と隣り合う高架床版１の固設部材（梁３ａなど）との継ぎ目のうち、下方を無支持状態で、突き合わせているパネル材４端部と固設部材との継ぎ目には、断面で下方に突出した凹部１０ａを有し、かつ、この凹部１０ａの一端に取付け部１０ｂを有する非透水性シート１０を設置する。この凹部１０ａは、パネル材４の下面よりも下方に突出するようになっている。実施形態では凹部１０ａの形状が円弧状であるが、断面三角形、断面四角形など、パネル材４の下面よりも下方に突出する種々の形状を採用することができる。
【００３２】
平面状の取付け部１０ｂは、パネル材４端部に接着剤１１により接着固定し、取付け部１０ｂの反対側となる他端側の凹部１０ａの外周部１０ｃを、接着剤１１により固設部材である梁３ａと接着固定させる。
【００３３】
この接続構造でも、上記と同様にパネル材４に回転ずれや水平方向のずれによるずれ移動が生じた場合には、非透水性シート１０の凹部１０ａがずれを許容する。したがって、パネル材４の上にコンクリートを打設した後にも、非透水性シート１０が継ぎ目を止水してパネル材４を接続することができる。
【００３４】
図３、図６に例示した接続構造において、接着剤１１として弾性接着樹脂１１ａを使用すれば、弾性接着樹脂１１ａが弾性変形することにより、継ぎ目に設置された非透水性シート１０が、より一層、ずれに追従し易くなる。
【００３５】
図７に例示するように、枕梁６に隣り合って架設されているパネル材４どうしの継ぎ目のうち、下方を枕梁６により支持された状態で、対向するパネル材４端部どうしを突き合わせている継ぎ目には、対向するパネル材４端部のそれぞれの上面から、これらパネル材４端部を下方で支持している枕梁６の上面まで、断面方向で継ぎ目に沿って非透水性シート１０、１０を設置する。それぞれの非透水性シート１０、１０は、それぞれのパネル材４端部および枕梁６に弾性接着樹脂１１ａにより接着固定する。
【００３６】
このような、下方が枕梁６のような固設部材により支持されている継ぎ目は、図３、図６に例示したような下方を支持されていない継ぎ目に比べて、パネル材４のずれ移動は小さくなる傾向にあるが、それでも尚、パネル材４を枕梁６に架設してからパネル材４の上にコンクリート９を打設する工程が完了するまでの間には、パネル材４に、回転ずれや水平方向のずれが生じる。パネル材４のずれが生じた場合には、弾性接着樹脂１１ａが弾性変形することにより、継ぎ目に設置された非透水性シート１０がずれに追従することができるので、パネル材４の上にコンクリートを打設した後にも、非透水性シート１０が継ぎ目を止水してパネル材４を接続することができる。
【００３７】
複数のパネル材４を枕梁６に架設し、上記のようにパネル材４どうしの継ぎ目、パネル材４と固設部材（梁３ａ、枕梁６）との継ぎ目を接続した後は、開口周縁部から突出した鉄筋２に新たな鉄筋を接続して格子状に配筋する。
【００３８】
次いで、新たな鉄筋によって格子状に配筋した開口部１ｂに、新たなコンクリート９を打設する。これにより、新たなコンクリート９と格子状に配筋された鉄筋とが一体化して鉄筋コンクリートとなり、パネル材４とともに開口部１ｂを塞ぐことになる。
【００３９】
パネル材４どうしの継ぎ目では、図５に例示するように、新たなコンクリート９が、非透水性シート１０の凹部１０ａに充填されて固化することになる。図６に例示した下方を無支持状態で、突き合わせているパネル材４と梁３ａとの継ぎ目、図７に例示した下方を枕梁６に支持された状態で、突き合わせているパネル材４どうしの継ぎ目でも、同様に新たなコンクリート９が充填されて固化する。
【００４０】
図３、図６、図７に例示したそれぞれの継ぎ目には、必要に応じて、接着固定した非透水性シート１０の上から無収縮モルタルを充填し、その後、新たなコンクリート９をパネル材４の上に打設するようにしてもよい。
【００４１】
図８に例示するように、非透水性シート１０の幅方向一端部を、予めパネル材４に接着剤１１（弾性接着樹脂１１ａ）により接着固定しておくこともできる。このように、パネル材４と非透水性シート１０を一体化しておくと、パネル材４を枕梁６に架設した後は、非透水性シート１０の幅方向他端部を、接着剤１１（弾性接着樹脂１１ａ）により、隣り合うパネル材４や固設部材に接着固定するだけで、迅速に継ぎ目の接続施工を完了させることができる。
【００４２】
新たなコンクリート９の型枠の一部として使用したパネル材４は、そのまま補修後の高架床版１の本体の一部となる。また、足場やパネル材４を配置する際に作業資材として使用した枕梁６も、そのまま補修後の高架床版１の本体の一部となる。
【００４３】
次いで、打設した新たなコンクリート９から吊りアンカー７を引抜き、上部支保材５およびＨ鋼８を撤去する。吊りアンカー７を引抜くことにより、新たなコンクリート９に生じた穴には、グラウト材を充填して埋めるようにする。このようにして、劣化した高架床版１の補修対象領域が、図９、１０に例示するように補修される。
【００４４】
それぞれの継ぎ目を塞ぐように、非透水性シート１０が接着剤１１（弾性接着樹脂１１ａ）により接着固定されているので、コンクリート９が打設された後、打設されたコンクリート９が固化した後にもすき間ない接続が維持され、止水効果を発揮する。
【００４５】
遮塩性が長期に求められる桟橋等の高架床版の場合には、劣化しにくい非透水性シート１０として、チタンシートやステンレス鋼シートを用いることが好ましい。また、この場合の接着剤１１としては、遮水性に優れたエポキシ樹脂、ウレタン樹脂、アクリル樹脂等の有機系樹脂を用いることにより、止水性および遮塩性を一段と向上させることができる。
【００４６】
本発明は、桟橋等の水上に立設する支柱３または支柱３間に設けられた梁に架設された高架床版１だけでなく、道路橋や鉄道橋などの陸上に立設された支柱３または支柱３間に設けられた梁に架設された高架床版１を補修する際にも適用することができる。
【００４７】
上記の実施形態では、既設の高架床版１を補修する際を例にして説明したが、本発明のパネル材の接続構造は、高架床版１を新設する際にも適用することができる。
【００４８】
新設する高架床版１に適用する際には、図１、図２の例示と同様に、支柱３または支柱３間に設けた梁３ａの上から水平方向に間隔をあけて吊設した枕梁６に複数のパネル材４を架設して、支柱３または支柱３間に設けた梁３ａの間（開口部）を覆うようにする。図１、図２の例示と同様に、枕梁６に架設した複数のパネル材４は、隣り合うパネル材４どうしの間や隣り合う梁３ａとの間に所定間隔をあけて配置する。
【００４９】
枕梁６に隣り合って架設されているパネル材４どうしの継ぎ目のうち、下方に枕梁６がなく無支持状態で、対向するパネル材４端部どうしを突き合わせている継ぎ目(図１のＡ−Ａ断面部)は、非透水性シート１０と接着剤１１を用いて図３に例示した同様の構造にする。枕梁６に架設されているパネル材４と、パネル材４と隣り合う高架床版１の固設部材（梁３ａなど）との継ぎ目のうち、下方を無支持状態で、突き合わせているパネル材４端部と固設部材との継ぎ目（図１のＢ−Ｂ断面部）は、非透水性シート１０と接着剤１１を用いて図６に例示した同様の構造にする。枕梁６に隣り合って架設されているパネル材４どうしの継ぎ目のうち、下方を枕梁６により支持された状態で、対向するパネル材４端部どうしを突き合わせている継ぎ目（図１のＣ−Ｃ断面部）は、非透水性シート１０と弾性接着樹脂１１ａを用いて図７に例示した同様の構造にする。
【００５０】
次いで、枕梁６に架設したパネル材４の上方位置に鉄筋２を格子状に配筋した後、コンクリート９を打設する。これにより、新たなコンクリート９と格子状に配筋された鉄筋２とが一体化して鉄筋コンクリートとなり、パネル材４とともに支柱３または支柱３に設けた梁３ａの間（開口部）を塞いで、図９、図１０に例示したような高架床版１が新たに構築される。それぞれの継ぎ目におけるパネル材４の接続構造の効果は、先の実施形態と同様である。
【図面の簡単な説明】
【００５１】
【図１】本発明のパネル材の接続構造を例示する平面図である。
【図２】図１の側面図である。
【図３】図１のＡ−Ａ断面図である。
【図４】図１の非透水性シートが変形している状態を例示するＡ−Ａ断面図である。
【図５】コンクリートを打設した後のＡ−Ａ断面図である。
【図６】図１のＢ−Ｂ断面図である。
【図７】図１のＣ−Ｃ断面図である。
【図８】非透水性シートを予め取付けたパネル材を例示する平面図である。
【図９】本発明のパネル材の接続構造を用いて構築した高架床版を例示する平面図である。
【図１０】図９の側面図である。
【図１１】既設の高架床版を補修して本発明のパネル材の接続構造を用いる際の手順を説明する平面図である。
【図１２】図１１の側面図である。
【図１３】図１１の次の手順を説明する平面図である。
【図１４】図１３の側面図である。
【符号の説明】
【００５２】
１  床版
１ａ  鉄筋コンクリート体
１ｂ  開口部
２  鉄筋
３  支柱
３ａ  梁
４  パネル材
５  上部支保材
６  枕梁
７  吊りアンカー
８  Ｈ鋼
９  新たなコンクリート
１０  非透水性シート
１０ａ  凹部
１０ｂ  取付け部
１０ｃ  外周部
１１  接着剤
１１ａ  弾性接着樹脂
【図１】
0004949197.tif 000002
【図２】
0004949197.tif 000003
【図３】
0004949197.tif 000004
【図４】
0004949197.tif 000005
【図５】
0004949197.tif 000006
【図６】
0004949197.tif 000007
【図７】
0004949197.tif 000008
【図８】
0004949197.tif 000009
【図９】
0004949197.tif 000010
【図１０】
0004949197.tif 000011
【図１１】
0004949197.tif 000012
【図１２】
0004949197.tif 000013
【図１３】
0004949197.tif 000014
【図１４】
0004949197.tif 000015